(57)【要約】杭は、杭とからなる第一および第二のエッジのセクションとして設定された最初の辺の部分を含む。  第一および第二のエッジを含み、かつ摺動自在に第一の側の部分のそれぞれの第2および第1端に係合するように設定されている、最初のエッジが摺動自在番目のエッジを係合するように構成されている請求項2のサイド部分。  従事する場合、両サイドの部分が実質的に中空パイルを形成し、側面の部分は山の最も外側の境界の内側に配置されている2つの側部との間の接合を形成する。
2012523512.tif 000002
【特許請求の範囲】
【請求項１】
からなる杭、第1および第2のエッジを含む第一の側の部分、山のセクションとして設定された最初の側の部分、摺動自在に最初のそれぞれの第2および第1のエッジと係合するように構成された第一および第二のエッジを含む第二の側面部分最初のエッジが摺動自在番目のエッジを係合するように構成される請求側の部分は、ここで従事し、両サイドの部分は実質的に中空杭を形成するときに、ここで従事するとき、側部には、一番外側の内側に配置されている2つの側部との間の接合を形成する杭の境界。 
【請求項２】
杭は、さらに、最初のエッジの長さと摺動自在に両サイドの部分の間の接合部を形成する女性のスロットに受信されているために構成された第2の辺の長さに沿って配置された男性メンバーに沿って配置された女性のスロットを含む、請求項1に記載の山、
、杭は互いの長さに沿って最初の辺の部分の最初のエッジが2番目のサイド部分の2番目のエッジと一致しており、2つの部分が一緒にスライドするようエンドで最初と2番目のサイド部分の端を整列させることにより形成することができる請求項杭を形成する。 
【請求項３】
サイド部分はジャンクションに隣接する杭の両側に溝を形成する請求項2の山。 
【請求項４】
前記太陽光発電の電気システムを特徴とする請求項3の山：山の側にマウントされている薄膜太陽電池、中空の杭の内部に取り付けられた太陽電池で生成された電荷を保存するためのバッテリ、少なくとも一つの電気負荷このデバイスはバッテリに接続し、溝内に配置。
【請求項５】
請求項3の山、さらに外側を持っているギャップのインフィルを含み、寸法及び形状は、溝や隙間の充填材が挿入されたときに外側には、実質的に杭の外側の境界で整列させる請求項構成されたギャップのインフィルを埋めるために溝。 
【請求項６】
請求項1に記載の杭側面の部分はジャンクション、第二側面部に形成された谷に中断された最初の辺の部分の一部から形成されたキャビティに隣接する杭の両側に空洞を形成して従事するとき。 
【請求項７】
従事するときに2番目のサイド部分の特徴と、第2サイド部分に谷に中断されている一部を、請求項6に記載の山は、サイドの部分が空洞につながる最初と2番目のサイド部分の間に喉を形成する。 
【請求項８】
空洞は、実質的に沿って山全体を貫いてここで、杭をさらに含む、請求項6に記載の山、：キャリッジと空洞の壁のそれぞれの大きさによって空洞に残っている空洞と抑制に配設されたキャリッジ、キャリッジは、杭の長さに沿ってキャビティ内にスライドするように構成。 
【請求項９】
キャリッジがキャリッジとキャビティの長さに沿って展開する大きさ、クリートキャリッジに接続し、杭の外側の境界の外側に配置を構成するキャリッジ上に位置する車輪で構成される、ローラーのキャリッジであることを特徴とする請求項8の山。
【請求項１０】
維持するキャビティと抑制に配置されたローラーのキャリッジを：空洞は、実質的に沿って山全体を貫いて、そして喉が空洞につながる１つの側壁によって形成され、パイルをさらに含む、請求項6の山、キャリッジのそれぞれの大きさとキャビティ壁による空洞で、キャリッジは、杭の長さに沿ってキャビティ内にスライドするように設定、片方のホイールを有するホイールの複数からなるキャリッジは、キャリッジ上に配置し、ロール大きさキャビティの長さの床、そして一輪に沿ってクリートキャリッジに接続し、杭の外側の境界の外側に配置を構成するキャリッジは、喉の壁にロールバックするように構成されています。 
【請求項１１】
さらに杭先端の先端が離れて側部から指すように最初と2番目のサイド部分の端を係合するように構成された形状で、一般的に円錐形の杭先端を、請求項10の山。 
【請求項１２】
杭は、杭先端とスロットに受信しているために男性の部分で構成される側の部分に杭先端をロックするための側部との間のメカニズムを含む、請求項11の山。 
【請求項１３】
であって、杭を構築するためのシステム：長さとサイド部分の全長に沿って実質的に一定の断面を有する曲面として一般的に構成を持って山のセクションとして設定された少なくとも二つの側面の部分を、サイド部のコネクタ中空杭を形成する側部と摺動自在に連動するように構成。 
【請求項１４】
側の部分の形状が同一であると、少なくとも1つの側面の部分のコネクタはチャネルを有する請求し、各側の部分が上にサイド部分のコネクタを摺動自在に連動するように設定されている特徴と、両サイドの部分のコネクタと2つの側部を含む、請求項13のシステムfour接合は、2つの側面の部分のコネクタを持つ2つの側面の部分を組み立てることにより杭の外側の境界の内側に形成されるようにサイド部分の両側。 
【請求項１５】
サイド部分のコネクタ上に配置されたチャネルは、サイド部分のコネクタに沿って両方が実行され、その空洞につながる喉を含み、及びサイド部分のコネクタが杭のアセンブル時に、空洞があるように構成される、請求項14のシステム、杭の外側の境界に内側に配置。 
【請求項１６】
請求項15に記載のシステムであって、前記一方の側の部分のコネクタがサイド部分のコネクタに沿って走る溝があり、側面の部分のコネクタは、杭のアセンブル時に、溝が杭の外側の境界の内側に配置されるように構成されている。 
【請求項１７】
側の部分とサイド部分のコネクタを特徴とする請求項13のシステムは、引抜成形プロセスによって形成される。 
【発明の詳細な説明】
【技術分野】
【０００１】
関連アプリケーションへのクロスリファレンス 
本出願は、米国仮出願シリアル番号XX / XXXから優先権を主張する、XXXはその全体が参照により本明細書に本明細書に組み込まれる2009年4月6日、に提出された。 
技術分野
【０００２】
本発明は、そのいくつかの実施形態では、杭にも関する。 
【背景技術】
【０００３】
本発明は、輸送が容易であり、劣化を招きにくく、パイルの必要性に対応。  他の利点も本発明に見られている。 
【発明の概要】
【０００４】
本発明は、パイルにも関する。  バリアントでは、杭は、第1および第2のエッジを含む第一の側の部分、山のセクションとして設定された最初の辺の部分を含む。 
2番目のサイド部分には、摺動自在に第一の側の部分のそれぞれの第2および第1のエッジと係合するように構成された第一および第二のエッジで構成されています。 
最初のエッジが摺動自在番目のエッジを係合するように構成されています。  従事する場合、両サイドの部分が実質的に中空パイルを形成し、側面の部分は山の最も外側の境界の内側に配置されている2つの側部との間の接合を形成する。 
【０００５】
別の変形例では、山は最初のエッジの長さに沿って配置された女性のスロットと摺動自在に両サイドの部分の間の接合部を形成する女性のスロットに受信されているために構成された第2の辺の長さに沿って配置された男性のメンバーで構成さ。  杭は、最初の辺の部分の最初のエッジが2番目のサイド部分の2番目のエッジと一致しており、2つの部分を形成するために互いの長さに沿って一緒にスライドされるような終わりで最初と2番目のサイド部分の端を整列させることにより形成することができる杭。 
【０００６】
さらなる変形において、側部には、接合部に隣接する杭の両側に溝を形成する。 
【０００７】
さらに別の変形において山は成る太陽光発電の電気システムで構成されています。杭の側面にマウントされている薄膜太陽電池、太陽電池で生成された電荷を格納するためのバッテリは、中空の杭の内側に取り付け、および少なくとも一つの電気負荷装置は、バッテリに接続し、溝内に配置。 
【０００８】
更に別の変形例では、山が外側を持っているギャップのインフィルを備え、溝を埋めるために大きさと形です。  ギャップのインフィルは、外側は、実質的に隙間の充填材が溝に挿入される杭の外側の境界と整列されるように構成されている。 
【０００９】
山の別の変形では、従事するときは、側面部分は、接合部に隣接する杭の両側に空洞を形成する。  空洞は、第2の側面部に形成された谷に中断された最初の辺の部分の一部から形成される。 
【００１０】
杭のさらなる変形において、第2サイド部分の一部が従事して請求したとき、第2サイド部分にある谷に中断され、側部には、そのリード最初と2番目のサイド部分の間に喉を形成する空洞に。 
【００１１】
さらに別の変形では、キャビティは、杭の全長は、実質的に沿って実行されます。  パイルはさらにキャビティ内に配置し、キャリッジのそれぞれの大きさとキャビティ壁による空洞のままに拘束キャリッジで構成されています。  キャリッジは、杭の長さに沿ってキャビティ内にスライドするように構成されています。 
【００１２】
更に別の変形例では、キャリッジがキャリッジとキャビティの長さに沿って展開するサイズの上に位置する車輪で構成される、ローラーのキャリッジである。  キャリッジがキャリッジに接続し、杭の外側の境界の外側に配置クリートで構成されています。 
【００１３】
別の変形例では、キャビティは山の略全長に沿って実行され、喉が空洞につながるつの側壁によって形成される。  杭は、キャビティ内に配置し、キャリッジのそれぞれの大きさとキャビティ壁による空洞のままに拘束ローラーキャリッジで構成されています。  キャリッジは、杭の長さに沿ってキャビティ内にスライドするように構成されています。  キャリッジ一輪を、前記車輪の複数の構成は、キャリッジとキャビティの長さの床面に沿って展開するサイズの上に配置され、そして一輪は、喉の壁にロールバックするように構成されています。  キャリッジは、必要に応じてキャリッジに接続し、杭の外側の境界の外側に配置クリートを持っています。 
【００１４】
さらなる変形において、山は一般的に円錐形であると杭先端の先端が離れて側部から指すように最初と2番目のサイド部分の端を係合するように構成された杭の先端を、構成されています。 
【００１５】
さらに別の変形では、杭は杭先端とスロットに受信しているために男性の部分で構成される側の部分に杭先端をロックするための側部との間の機構を備える。 
少なくとも二つの側面の部分の長さを有する杭のセクションとして構成し、全体の長さ方向に沿って実質的に一定の断面を有する曲面として一般的に構成される。 
【００１６】
まださらなる亜種、杭を構築するためのシステム、構成するにはと中空杭を形成する側部と摺動自在に連動するため設定された側の部分のコネクタ、サイド部分の
【００１７】
変形例では、システムは、サイド部分の形状が同一であると、少なくとも1つの側面の部分のコネクタがチャネルを持ち、前記両サイドの部分のコネクタと2つの側面の部分を含む。  各辺部は、4つの接合は、2つの側面の部分のコネクタを持つ2つの側面の部分を組み立てることにより杭の外側の境界の内側に形成されるようにサイド部分の両側にサイド部分のコネクタを摺動自在に連動するように構成されています。 
【００１８】
システムの別の変形では、サイド部分のコネクタ上に配置されたチャネルは、サイド部分のコネクタに沿って空洞と実行の両方につながる喉で構成されています。  サイド部分のコネクタは、杭のアセンブル時に、空洞が杭の外側の境界の内側に配置されるように構成されている。 
【００１９】
システムのさらなる変形において、片側の部分のコネクタがサイド部分のコネクタに沿って走る溝があり、側面の部分のコネクタは、杭のアセンブル時に、溝が外側の境界の内側に配置されるように構成されている杭の。 
【００２０】
さらに別の変形例では、側部と側部のコネクタは、引抜成形プロセスによって形成される。 
【００２１】
本発明の他の特徴及び側面は、実施例により説明する添付の図面と併せて以下の詳細な説明、発明の実施形態による特徴から明らかになるであろう。
要約は、これに接続されている特許請求の範囲によってのみ定義される発明の範囲を制限するものではありません。 
【図面の簡単な説明】
【００２２】
本発明は、一つ以上の様々な実施形態に従って、次の図を参照して詳細に説明されています。  図面は、単に発明の典型的なまたは例の実施態様を表す図の目的のために用意されています。  これらの図面は、本発明の読者の理解を容易にするために提供され、幅、範囲、または本発明の適用の制限とはみなされないものとする。  それは明快さと実例を容易にするためにこれらの図面は必ずしも縮尺に行われていないことに注意すべきである。 
【００２３】
図の中には、ここに別の視野角から本発明の様々な実施形態を例示が含まれています。 
付属の説明テキストが"上"、"ボトム"または"サイド"ビューなどのビューを参照することがありますが、このような参照は、単に記述的なものですと明記されていない限り、本発明は特定の空間的な向きで実装または使用されることを意味するものまたは必要としないそうでなければ。 
【００２４】
【図１】杭の側面の部分の部分的な斜視図である。
【００２５】
【図２】直接一緒に接続された2つの側面の部分の部分断面図である。
【００２６】
【図３】本発明の原理による杭の斜視図である。
【００２７】
【図４】山の側面に溝を形成し、直接一緒に接続された2つの側面の部分の部分断面図である
【００２８】
【図５】直接一緒に山の側面に空洞を形成する接続された2つの側面の部分の部分断面図である。
【００２９】
【図６】山の側面に空洞を形成する側の部分のコネクタを介して互いに接続された2つの側面の部分の部分断面図である。
【００３０】
【図７】山の側面に溝を形成する側の部分のコネクタを介して互いに接続された2つの側面の部分の部分断面図である。
【００３１】
【図８】ローラーキャリッジの分解図である。
【００３２】
【図９】ローラーキャリッジの上面図である。
【００３３】
【図１０】杭先端に接続するように構成示す杭と端の斜視図である。
【００３４】
【図１１】杭先端に接続するように構成示す杭と端部の上面図である。
【００３５】
数値は、網羅的に開示した厳密な形態に本発明を限定するものではない。  本発明は、変更と変更で実施することができること、および本発明は、特許請求の範囲およびその等価物によってのみ限定されることを理解すべきである。 
【発明を実施するための形態】
【００３６】
時々から、本発明は、例えば環境の面でここに記載されている。  これらの環境の観点からの説明は、典型的なアプリケーションのコンテキストの中で描かれる本発明の種々の特徴および実施形態を可能にするために提供されています。  この説明を読んだ後、それは、発明が異なると別の環境で実装する方法は当業者に明らかになるであろう。 
【００３７】
他に定義しない限り、すべての技術用語および科学用語は、ここに、本 発明が属する分野の当業者によって理解されているのと同じ意味を有する。  本明細書で言及するすべての特許、出願、公開アプリケーションおよび他の刊行物は、その全体が参考として援用される。  この節に定める定義に反したり、アプリケーション、参照により本明細書に組み込まれている公開アプリケーションや他の刊行物に記載されている定義とそうでない場合は矛盾している場合は、この文書に記載されている定義は、により本明細書に組み込まれる定義よりも優先さリファレンス。 
【００３８】
本発明は、そのいくつかの実施形態では、構造物を支えるための杭にも関する。  １つのバリアントで、図を参照。  1-3、杭10が構成されて：最初の面の部分を最初の20と第二のエッジ25を。  用語"エッジは、"図の文字AとBで参照される側の部分15の地域に一般的に指します。  1、数字20および25、および側面部15の長さに沿って翻訳。  エッジは必ずしもサイド部15の正確な終了を意味するものではありませんが、一般的な領域に端を含むことができる。 
【００３９】
第2側面部15は、最初のエッジ20が摺動自在番目のエッジ25を係合するように構成され、前記摺動自在に第一の側の部分のそれぞれ25秒、最初の縁と係合するように設定された最初の20と第2端25を備えている。  側部15は、中空の杭10のセクションとして設定されています。  図に示すように従事する場合、2つの側部15は、実質的に中空杭10を形成する。 
3、接合部30は杭の最も外側の境界35内に配置されている2つの側面部15間に形成されています。 
【００４０】
変形例では、山は最初のエッジ20の長さに沿って配置された女性のスロット40を有しており、男性メンバー45は、摺動の間の接合部30を形成する女性のスロットに受信されているために構成された第2の辺の長さに沿って配置さ両サイドの部分。  杭10は、先端に第一および第二側部15の端を合わせて、最初の辺の部分の最初のエッジ20が2番目のサイド部分の2番目のエッジ25にマッチングされ、2つの部分がそれぞれに沿って一緒にスライドしているように形成されることがあります他の長さが杭10を形成する。 
【００４１】
杭の別の変形で、図を参照する。  4、ジャンクションに隣接する杭のいずれかの側の側部15は、溝50。 
【００４２】
さらなる変形において、杭であっ太陽光発電の電気システムを構成する：薄膜太陽電池55は、山の側面に取り付けられた、太陽電池で生成された電荷を保存するためのバッテリ60、中空杭内部にマウントされている10;と少なくとも一つの電気負荷装置65は、バッテリに接続し、必要に応じて溝内に配置。  例えば、電気負荷装置は、ランプがあります。  別の例では、電気負荷装置は、消防用ホースに給水圧力の水ポンプがあります。 
バッテリは、取付金具70を介して杭の内部に取り付けられていてもよい。  その後、薄膜太陽電池55は、杭10の外周面35に準拠するように形状にすることができる。 
【００４３】
さらに別の変形では、山はインフィル75は外側80あるギャップを構成し、溝50を埋めるようなサイズと形です。  外側80は、実質的ギャップのインフィル75が溝に挿入される杭の外側の境界35と整列させる請求項ギャップインフィル75が設定されるかもしれません。 
【００４４】
杭のさらなる変形において、図を参照。  2と5は、側面の部分が利用されていると、彼らは、ジャンクション30に隣接する杭の両側に空洞85を形成する。  キャビティ85は、第二側面部に形成された谷95以上中断された最初の辺の部分の部分90から形成される。 
最初と二次側の間に山の別の変形において、第2サイド部分の一部100が従事して請求したとき、第2サイド部分に谷95にわたって中断されている
【００４５】
側部15は、喉100キャビティ85につながる部分。 
【００４６】
山のさらなる変形において、キャビティ85は、図を参考に、杭の略全長に沿って実行し、 5、6、8、9、山が空洞85内に配置されたキャリッジ110を有し、キャリッジ110と空洞の壁のそれぞれの大きさによってキャビティ85に残るために拘束される。  キャリッジ110は、杭の長さに沿ってキャビティ内にスライドするように構成されています。 
【００４７】
さらに別の変形では、キャリッジが2つの側面ローラーのペア115、レールローラー120のペア、および溝ローラー125の一対の、ローラーのキャリッジである。  二つのプレート130およびステンレス鋼棒135は、キャリッジ上のすべてのローラーを接続するための構造的な枠組みとして機能する。  オプションでクリート140はプレート130に接続されることがあります。  ローラーは、キャリッジとキャビティの長さに沿って展開するサイズの上に位置している。  クリート140は、キャリッジに接続し、杭の外側の境界35の外側に配置されてもよい。  杭がドックのための構造要素として使用すると、ボートはクリートに占有する可能性があるとクリートは、このようにボートの手の届かないところになってからクリートを防止する、潮の立ち上がりと立ち下がりに基づき杭を上下にスライドさせてあります。 
【００４８】
山のさらに他の変形例では、キャビティ85は、杭の略全長に沿って実行され、喉100はキャビティに導く2つの側壁によって形成される。  杭は、キャビティ85に配置され、キャリッジ110と空洞の壁のそれぞれの大きさによって空洞のままに拘束ローラーキャリッジ110を含む。
キャリッジ110は、杭の長さに沿ってキャビティ85内にスライドするように構成されています。  キャリッジ110は、一輪115は、オプションでキャリッジ85とキャビティの長さの床面に沿って展開するサイズの上に配置され、前記車輪または複数のローラを含むことができる。  一輪125は、オプションで喉100の壁にロールバックするように構成されています。  図を参照。  3、キャリッジは、必要に応じてクリート140はキャリッジに接続し、杭の外側の境界35の外側に配置可能性があります。  オプションで、杭が所定のポイントを過ぎてご旅行からクリート140を防止するためのローラーのカラーリング145を持っている可能性があります。  オプションとして、バンパーのベアリングキャビティ150はバンパー155の配置のためのローラーカラーリングにより形成することができる。 
【００４９】
別の変形では、図を参照。  10-12、杭は必要に応じて、一般的に円錐形であると杭先端の先端170が離れて側部から指すように最初と2番目のサイド部の端165に係合するように構成されて杭先端160を持っています。  オプションで、サイドの部分に杭先端をロックするための杭の先端と側面部の間の機構として杭。  オプションとしてのメカニズムは、スロット175とスロット175で受信されるための男性の部分180を含むことができる。 
【００５０】
別の変形例では、杭10を構築するためのシステムが用意されています。  図を参照する。  6、7、13、システムは長さとサイド部15の全長に沿って実質的に一定の断面を有する曲面として一般的に構成を持つ杭10のセクションとして設定された少なくとも二つの側面部15で構成されています。  サイド部分のコネクタ200は、中空の杭を形成する側部と摺動自在に連動するように構成されています。 
【００５１】
さらなる変形において、システムは2つの側面の部分のコネクタ200と両サイド部15で構成されています。  側部15は、形状が同一であり、少なくとも一方の側の部分のコネクタ200は、チャネル85を有し、各サイドの部分は4つの接合部30が形成されるようにサイド部分の両側にサイド部分のコネクタを摺動自在に連動するように設定されている前記両サイドの部分のコネクタを持つ2つの側面の部分を組み立てることにより杭の外側の境界は35インテリア。 
【００５２】
システムであればさらに別の変形例において、チャネルは、サイド部分のコネクタ上に配置し、サイド部のコネクタ200に沿ってキャビティ85との両方の実行につながる喉100を備えています。  サイド部分のコネクタ200は、杭のアセンブル時に、キャビティ85は杭の外側の境界から35内部に配置されるように構成されている。 
【００５３】
システムの更に別の変形例では、片側の部分のコネクタ200は、側面の部分のコネクタ200に沿って走る溝50を有する。 
サイド部分のコネクタは、杭のアセンブル時に、溝50は杭の外側の境界から35内部に配置されるように構成されている。  杭は、図に示すようにサイド部分のコネクタの様々な組み合わせで形成することができる。  ビルダーのニーズに応じて6と7。 
【００５４】
好ましい実施態様において、本明細書に記載したパイル側の部分とパイル側の部分のコネクタは、好ましくは、引抜成形プロセスによって形成される。  杭は、杭の側面が平行になるように構成されている。  杭は、ドックの建設に使用されている場合、このタイプの構造は、氷-ジャックの影響を防ぐことができます。  杭は、ここに記載海岸居住用財産、橋、電柱、および他の多くの建築用途のオンとオフ、マリーナ建設、ウォーターフロントの開発に使用することができます。 
【００５５】
本発明の様々な実施形態が上記されているが、それは彼らだけではなく、制限の例の方法で提示されていることを理解すべきである。  同様に、様々な図は、本発明に含めることができる特徴と機能の理解を助けるために行われている発明、例えば建築やその他の設定を描写することができる。  本発明は、例示的なアーキテクチャや構成に限定されず、目的の機能を代替アーキテクチャおよびさまざまな構成を使って実装することができます。  確かに、それは別の、機能的な論理的または物理的なパーティショニングと構成が本発明の所望の機能を実装するために実装する方法を当業者に明らかであろう。  また、それらの描かれた本以外の別の構成要素のモジュール名の多数は、さまざまなパーティションに適用することができます。  さらに、フロー図、業務の説明と方法クレームに関しては、ステップがここに表示される順序は、様々な実施形態は、文脈が指示しない限り同じ順序で列挙された機能を実行するために実装することを強制してはならない。 
【００５６】
本発明は様々な例示的実施形態および実装の 観点から、上記記載されているが、それは個々の実施形態の一つ以上に記載されて様々な特徴、態様および機能はある特定の実施例への適用に限定されないことが理解されるべきであるその彼らは、そのような実施形態が記載されているかどうかとそのような機能の一部として提示されているかどうか、本発明の他の実施形態のいずれかまたは複数に、単独または様々な組み合わせで、説明されていますが、その代わりに適用することができます。実施の形態を説明した。  従って、本発明の幅広さと範囲は、上述の例示的な実施形態のいずれかによって制限されるべきではない。 
【００５７】
これらの、特に明示的に明記しない限り、オープンと解釈されるべき用語やフレーズは、この文書で使用されている、とバリエーションは、制限とは対照的に終わった。  上記の例として："を含む"という用語は、または"制限なし、を含む"を意味するものとして読まれるべきである。用語"の例は、"議論の項目の例示的なインスタンスを提供するために使用され、それらのない網羅的または限定的リスト、"a"または""用語が"少なくとも一つの、""一つ以上の意味として読まれるべき"等を、のような形容詞"、従来の、""、普通の""、伝統的な""標準" "知られ"と同じような意味の用語は、特定の期間、または指定された時間において入手可能な項目に説明する項目を制限するものとして解釈されるべきではない、のではなく、従来、伝統的な、通常の、または標準的な技術を包含する読み取る必要があります現在または将来的に何時でもチェックイン可能か知られている可能性があります。  同様に、この文書は、見かけ上または当業者に知られている技術を指します、そのような技術が包含するそれらの見かけ上または当業者は、現在または将来の任意の時点で知られている。 
【００５８】
組み合わせ"と"でリンクされているアイテムのグループはそれらの項目のそれぞれ一人一人がグルーピング内に存在することを必要として読まれるべきではない、むしろ"および/ または"他に明記されていない限りとして読まれるべきである。  同様に、一緒にリンクされているアイテムのグループ"または"は、そのグループ間の相互排他性を必要とするものとして読むことは必要ではなく、また、他に明記されていない限り、"および/ または"として読まれるべきである。  さらに、本 発明のアイテム、要素やコンポーネントが単数形で説明または主張されるかもしれないが、複数は単数に制限が明示的に指定されていない限り、その範囲内であることが企図されている。 
【００５９】
単語やフレーズなど、"一つ以上の、""少なくとも、""ではなく、これらに限定さ"やいくつかのインスタンス内のフレーズのような他を広げる存在が狭いケースが意図または要求されることを意味すると読み取ることができないものインスタンスでこのような広がりフレーズ場所は存在しなくてもよい。  用語"モジュール"の使用では、コンポーネントまたはモジュールの一部として記述されているか、クレームの機能はすべて共通のパッケージで構成されていることを意味するものではない。  確かに、モジュールのさまざまなコンポーネントのいずれかまたはすべては、制御ロジックや他のコンポーネントかどうか、単一のパッケージにまとめることができますまたは別々に維持され、さらに複数の場所に分散させることができます。 
【００６０】
それは、明確にするために、別々の実施形態の文脈で説明されている発明、の特定の機能が、単一の実施形態で組み合わせて提供されることが理解される。  逆に、ある発明、種々の特徴は、簡潔にするために、単一の実施形態の文脈で説明され、また別々にまたは任意の適切なサブコンビネーションで提供することができるまたは本発明の他の実施形態と同様に適しています。  様々な実施形態の文脈で説明されている特定の機能は、本実施形態では、これらの要素なしに動作不能でない限り、それらの実施形態の本質的な特徴を考慮する必要はありません。
【００６１】
さらに、本 明細書に記載された様々な実施形態は例示的なブロック図、フローチャートや他のイラストの観点から記述されています。  この文書を読んだ後、当業者に明らかになるように、図示の実施形態及びそれらの種々の代替案は、図示例に閉じ込めなく実装することができます。  例えば、ブロックダイアグラムとそれらに付随する説明は、特定のアーキテクチャやコンフィギュレーションを義務づけるものと解釈すべきではない。 
【図１】
2012523512.tif 000003
【図２】
2012523512.tif 000004
【図３】
2012523512.tif 000005
【図４】
2012523512.tif 000006
【図５】
2012523512.tif 000007
【図６】
2012523512.tif 000008
【図７】
2012523512.tif 000009
【図８】
2012523512.tif 000010
【図９】
2012523512.tif 000011
【図１０−１２】
2012523512.tif 000012
【図１３】
2012523512.tif 000013
【誤訳訂正書】
【提出日】平成24年1月24日(2012.1.24)
【誤訳訂正１】
【訂正対象書類名】明細書
【訂正対象項目名】全文
【訂正方法】変更
【訂正の内容】
【発明の詳細な説明】
【技術分野】
【０００１】
（関連出願の参照）  
本出願は、２００９年４月６日に提出された米国仮出願シリアル番号ＸＸ  ／  ＸＸＸ，ＸＸＸからの優先権を主張し、その全体が参照により本明細書に組み込まれる。  
（技術分野）
【０００２】
本発明は、そのいくつかの実施形態では、パイルに関する。  
【背景技術】
【０００３】
本発明は、輸送が容易であり、劣化を招きにくいパイルの必要性を取り扱う。    本発明には他の利点も見られる。  
【発明の概要】
【０００４】
本発明は、パイルに関する。ある実施形態では、パイルは、第１および第２のエッジを含む第１の側面部分からなり、第１の側面部分は、パイルの１つの区画として構成される。第２の側面部分は、それぞれ第１の側面部分の第２および第１のエッジと摺動自在に係合するように構成された第１および第２のエッジを有する。第１のエッジは摺動自在に第２のエッジに係合するように構成されている。係合される場合、２つの側面は実質的に中空パイルを形成し、係合された場合、前記側面部分は前記２つの側面部分の間に前記パイルの最外側境界より内側に位置する接合部を形成する。
【０００５】
別の実施形態では、パイルは、第１のエッジの長さに沿って配置される雌スロットと、雌スロットに滑動可能に受容され、２つの側面部分の間に接合部を形成する、第２のエッジの長さに沿って配置される雄部材とを有する。
パイルは、第１の側面部分と第２の側面部分を末端でアライメントして、第１の側面部分の第１のエッジを第２の側面部分の第２のエッジと適合させ、そして２つの側面部分を互いの長さに沿って滑動させることにより形成される。  
【０００６】
さらなる実施形態では、側面部分は接合部に隣接するパイルの両側に溝を形成する。
【０００７】
さらに別の実施形態では、パイルは、パイルの側面に搭載される薄膜太陽電池と、中空パイルの内部に搭載された、電池により発電された電荷を貯蔵するためのバッテリーと、バッテリーに接続し、溝内に位置する少なくとも１つの電気的負荷装置と、を備える太陽光発電の電気システムを有する。  
【０００８】
更に別の実施形態では、パイルは、外周面を備え、溝を充足するように寸法づけられかつ形成されたギャップ充填部材をさらに有し、ギャップ充填部材は、ギャップ充填部材が溝に挿入された場合に外周面がパイルの外側境界と実質的にアライメントされるように構成される。  
【０００９】
パイルの別の実施形態では、側面部分は係合された場合に、接合部に隣接するパイルの両側面に１つの空洞を形成し、空洞は、第２の側面部分に形成される谷部の上方に吊るされる、第１の側面部分の一部分から形成される。  
【００１０】
パイルのさらなる実施形態では、第２の側面部分の一部分が第２の側面部分の谷部の上方に吊るされ、側面部分は係合された場合、第１の側面部分と第２の側面部分との間に空洞に繋がる喉部を形成する。  
【００１１】
さらに別の実施形態では、空洞はパイルの実質的に全長に亘って伸長し、
パイルはさらに、空洞内に配置され、キャリッジと空洞の壁のそれぞれの寸法により空洞内に留まるように拘束されるキャリッジを備え、キャリッジは、空洞内をパイルの長さ方向に沿って滑動するように構成される。  
【００１２】
更に別の実施形態では、キャリッジは、キャリッジ上に位置し、そして空洞の長さ方向に沿って回転するように寸法決めされる車輪を備えるローラーキャリッジであり、キャリッジは、キャリッジに連結し、そしてパイルの外部境界の外側に配置されるクリートを備える。  
【００１３】
別の実施形態では、空洞は実質的にパイルの全長に亘って伸長し、そして喉部は空洞に繋がる２つの側面部分により形成され、パイルは更に、空洞内に配置され、キャリッジと空洞の壁のそれぞれの寸法により空洞内に留まるように拘束されるローラーキャリッジを備え、キャリッジは、空洞内をパイルの長さ方向に沿って滑動するように構成され、１つの車輪がキャリッジ上に配置され、かつ空洞の長さ方向の床に沿って回転するように寸法決めされ、１つの車輪が喉部の壁に対して回転するように構成され、キャリッジがキャリッジに連結しそしてパイルの外部境界の外側に配置されるクリートを備える。  
【００１４】
さらなる実施形態では、パイルは、一般的に円錐形状で、第１の側面部分と第２の側面部分の末端と係合し、パイル先端部分の先端が側面部分から離れる方向を向くように構成される、パイル先端部分をさらに有する。  
【００１５】
さらに別の実施形態では、パイルは、スロット内に受容される雄部材からなる、前記パイル先端部分と前記側面部分を固定するための前記パイル先端部分と前記側面部分との間の機構を有する。    
【００１６】
またさらなる実施形態では、長さを持ち、そして側面部分の全長に亘って実質的に一定の断面を有する曲面として一般的に構成される、パイルの１区画として構成される少なくとも２つの側面部分と、側面部分と滑動可能に連結し、中空パイルを形成するように構成される１つの側面部分コネクタと、を有することを特徴とするパイルを構築するシステムが提供される。
【００１７】
別の実施形態では、システムは、２つの側面部分コネクタと２つの側面部分とを有し、２つの側面部分は形状が同一であり、少なくとも１つの側面部分コネクタがチャネルを有し、そしてそれぞれの側面部分が側面部分の両側において１つの側面部分コネクタに滑動可能に連結し、２つの側面部分を２つの側面部分コネクタを組み立てることにより、パイルの外部境界の内側に４つの接合部が形成される。  
【００１８】
システムの別の実施形態では、側面部分コネクタ上に配置されたチャネルは、空洞に繋がる喉部を有し、その両方は側面部分コネクタに沿って伸長し、側面部分コネクタはパイルが組み立てられた場合、空洞がパイルの外部境界の内側に配置される。  
【００１９】
システムのさらなる別の実施形態では、１つの側面部分コネクタが側面部分コネクタに沿って伸長する溝を備え、そして、側面部分コネクタが、パイルが組み立てられた場合、溝がパイルの外部境界の内側に配置される、ように構成される。  
【００２０】
さらに別のシステムの実施形態では、側面部分と側面部分コネクタが引抜成形により形成される。  
【００２１】
本発明の他の特徴及び側面は、発明の実施形態に従う特徴を例示により示す添付の図面と併せて以下の詳細な説明から明らかになるであろう。要約は発明の範囲を制限するものではなく、発明の範囲は付随する特許請求の範囲によってのみ定義される。  
【図面の簡単な説明】
【００２２】
一つ以上の様々な実施形態に従う本発明は、以下の図を参照して詳細に説明される。図面は図示の目的のためにのみ用意され、それは単に発明の典型的なまたは例示としての実施態様を表す。これらの図面は、読者の本発明の理解を容易にするために提供され、本発明の幅、範囲、または適用可能性を制限するものではない。明快さと作図の容易さのためこれらの図面は必ずしも寸法通りに作図されていないことに注意されたい。  
【００２３】
幾つかの図は、異なる視野角からの本発明の様々な実施形態を表示している。    付属の説明文が「上面図」、「底面図」または「側面図」と記述していても、特別に断わりのない限り、本発明は特定の空間的な向きで実現または使用されることを意味せず、又は必要としない。
【００２４】
【図１】パイルの側面部分の部分的斜視図である。
【００２５】
【図２】直接連結された２つの側面部分の部分的断面図である。
【００２６】
【図３】本発明の原理によるパイルの斜視図である。
【００２７】
【図４】協働してパイルの側面に溝を形成する、直接連結された２つの側面部分の部分的断面図である。
【００２８】
【図５】協働してパイルの側面に空洞を形成する、直接連結された２つの側面部分の部分的断面図である。
【００２９】
【図６】パイルの側面に空洞を形成する側面コネクタを介して互いに連結された２つの側面部分の部分的断面図である。
【００３０】
【図７】パイルの側面に溝を形成する側面コネクタを介して互いに連結された２つの側面部分の部分的断面図である。
【００３１】
【図８】ローラーキャリッジの分解図である。
【００３２】
【図９】ローラーキャリッジの上面図である。
【００３３】
【図１０】先端部がパイルチップに連結するように構成されたパイルの斜視図である。
【００３４】
【図１１】先端部がパイルチップに連結するように構成されたパイルの上面図である。
【００３５】
図は、網羅的な表示を意図したものではなく、または開示した厳密な形態に本発明を限定するものではない。本発明は、変更と変形により実施することができること、および本発明は、特許請求の範囲およびその等価物によってのみ限定されることを理解すべきである。  
【発明を実施するための形態】
【００３６】
本発明は、時として例示としての環境においてここに記載される。これらの環境における記載は、本発明の種々の特徴および実施形態が例示的応用において描写されることを可能にするために提供されている。当業者には、この説明を読んだ後、本発明を異なる別の環境で実現可能する方法が明白になるであろう。  
【００３７】
他に定義しない限り、すべての技術用語および科学用語は、本発明が属する分野の当業者によって理解されているものと同じ意味を有する。本明細書で言及する全ての特許、出願、公開出願および他の刊行物は、その全体が参考として採り入れられる。この明細書に定める定義が、参照として本明細書に組み込まれている公開出願や他の刊行物に記載されている定義に反し、あるいはそれらと一貫性がない場合は、この明細書に定める定義が、参照として本明細書に組み込まれる定義よりも優先する。  
【００３８】
本発明は、そのいくつかの実施形態では、構造物を支えるためのパイルに関する。図１−３を参照する１つの実施形態では、パイル１０は：第１のエッジ２０と第２のエッジ２５を有する第１の側面部分１５を有する。用語「エッジ」は、図１の文字ＡとＢ及び数字２０および２５で示される側面部分１５の領域を一般的に意味し、側面部分１５の長さに沿って伸長する。エッジは必ずしも側面部分１５の正確な末端を意味するものではなく、末端を含む一般的な領域を意味する。  
【００３９】
第２の側面部分１５は、それぞれ第１の側面部分の第２のエッジ２５に摺動自在に係合するように構成される第１のエッジ２０と、第１の側面部分の第１のエッジ２０に摺動自在に係合するように構成される第２のエッジ２５を備える。側面部分１５は、中空のパイル１０の１区画として構成される。係合された場合、２つの側面部分１５は、図３に示すように、実質的に中空なパイル１０を形成する。接合部３０はパイルの最外側境界３５の内部に位置する２つの側面部分１５の間に形成される。  
【００４０】
他の実施例では、パイルは第１のエッジ２０の長さに沿って配置された雌スロット４０を有しており、第２のエッジの長さに沿って配置された雄部材４５は、雌スロットに摺動可能に受容されて２つの側面部分の間の接合部３０を形成する。パイル１０は、第１および第２側面部分１５の端部と端部とをアライメントさせ、第１の側面部分の第１のエッジ２０を第２の側面部分の第２のエッジ２５に適合させ、２つの側面部分をそれぞれの長さに沿って一緒にスライドさせ、そしてパイル１０を形成する、ように形成可能である。  
【００４１】
図４に示すパイルの別の実施形態では、２つの側面部分１５は接合部に隣接するパイルの両側に溝５０を形成する。  
【００４２】
さらなる実施形態では、パイルは太陽光発電の電気システムを有し、それは：パイルの側面に取り付けられた薄膜太陽電池５５と、太陽電池で生成された電荷を保存するための中空パイル１０の内部に搭載されるバッテリー６０、とバッテリーに接続し、選択肢として溝内に配置される少なくとも一つの電気的負荷装置６５からなる。例えば、電気的負荷装置は、ランプである。別の例では、電気負荷装置は、消防用ホースに給水圧力を供給する水ポンプである。バッテリーは、取付金具７０を介してパイルの内部に取り付けられていてもよい。また、薄膜太陽電池５５は、パイル１０の外周面３５に準拠するように形状づけられてもよい。  
【００４３】
さらに別の実施形態では、パイルは、外側面８０を有し溝５０を埋めるような形状のギャップ充填部材７５を有する。ギャップ充填部材７５は、外側面８０がパイルの外側境界３５と実質的にアライメントするように構成されてもよい。  
【００４４】
図２と５を参照するパイルのさらなる実施形態では、２つの側面部分が係合されている場合、それらは、接合部３０に隣接するパイルの両側に空洞８５を形成する。空洞８５は、第２の側面部分に形成された谷部９５の上方に吊るされた第１の側面部分の部位９０から形成される。  
【００４５】
パイルのさらなる実施形態では、第２の側面部分の部位１００が第２の側面部分の谷部９５の上方に吊るされ、２つの側面部分は係合された場合、空洞８５につながる第１の側面部分と第２の側面部分との間の喉部１００を形成する。  
【００４６】
パイルのさらなる実施形態では、空洞８５はパイルの実質的に全長に亘って伸長し、そして  図５、６、８及び９に示すように、パイルは、空洞８５内に配置され、そしてキャリッジ１１０と空洞の壁のそれぞれの寸法によって空洞８５内に留まるように束縛されるキャリッジ１１０を有する。キャリッジ１１０は、パイルの長さに沿って空洞内をスライドするように構成されている。  
【００４７】
さらに別の実施形態では、キャリッジが２対の側面ローラー１１５、１対のレールローラー１２０、および１対の溝ローラー１２５を有するローラーキャリッジである。二つのプレート１３０およびステンレス鋼棒１３５は、キャリッジ上のすべてのローラーを連結するための構造的な枠組みとして機能する。選択肢としてクリート１４０がプレート１３０に連結されてもよい。ローラーは、キャリッジ上に位置し、空洞の長さに沿って回転するように寸法を決められる。クリート１４０はキャリッジに連結し、パイルの外側境界３５の外側に配置されてもよい。パイルがドック用の構造要素として機能する場合、ボートをクリートに繋留することが可能であり、そしてクリートは潮の満ち引きに従ってパイルを上下にスライドさせて、それによりクリートがボートから届かなくなるほど離れるのを防止してもよい。  
【００４８】
パイルのさらに他の実施形態では、空洞８５は、パイルの実質的に全長に亘って伸長し、喉部１００は空洞につながる２つの側壁によって形成される。パイルは、空洞８５に配置され、キャリッジ１１０と空洞の壁のそれぞれの寸法によって空洞内に留まるように束縛されるローラーキャリッジ１１０を有する。    キャリッジ１１０は、パイルの長さに沿って空洞８５内をスライドするように構成されている。キャリッジ１１０は、複数の車輪またはローラーを有することができ、１つの車輪１１５は、選択肢としてキャリッジ８５上に配置され、そして空洞の長さ方向の床面に沿って回転するように寸法を決められる。１つの車輪１２５は、選択肢として喉部１００の壁に対して回転するように構成される。図３を参照すると、キャリッジは、選択肢として、キャリッジに連結しそしてパイルの外側境界３５の外側に配置されるクリート１４０を有してもよい。選択肢として、パイルクリート１４０が所定のポイントを過ぎて走行しないようにするためのローラーカラーリング１４５を有してもよい。或いは、バンパー１５５の配置のため、ローラーカラーリングによりバンパー支持空洞１５０が形成されてもよい。  
【００４９】
図１０−１２を参照する別の実施形態では、パイルは選択肢として、一般的に円錐形で、そして第１の側面部分と第２の側面部分の端部１６５に係合し、パイル先端部の先端１７０が側部から離れる方向を指すように構成される、パイル先端部材１６０を有する。選択肢として、パイルはパイル先端部と側面部分の間にパイル先端部と側面部分を固定するための機構を有してもよい。選択肢として機構は、スロット１７５とスロット１７５内に受容される雄部材１８０を有してもよい。  
【００５０】
別の実施形態では、パイル１０を構築するためのシステムが提供される。図６、７、１３を参照して、システムは長さを有し、そして側面部分１５の全長に沿って実質的に一定の断面を有する曲面を一般的に持つ、パイル１０の１区画として構成された少なくとも２つの側面部分１５を有する。側面部分コネクタ２００は、側面部分と摺動自在に連結して中空のパイルを形成するように構成される。  
【００５１】
さらなる実施形態では、システムは２つの側面部分コネクタ２００と２つの側面部分１５を有する。側面部分１５は、形状が同一であり、少なくとも一方の側面部分コネクタ２００は、チャネル８５を有し、そして２つの側面部分と２つの側面部分コネクタを組み立てることにより、それぞれの側面部分は側面部分の両側で側面部分コネクタと摺動自在に連結して、パイルの外側境界３５の内側に４つの接合部３０が形成されるように構成されている。
【００５２】
システムのさらに別の実施形態では、チャネルが、側面部分コネクタ上に配置され、空洞８５につながる喉部１００を備え、それらは共に側面部分コネクタ２００に沿って伸長する。側面部分コネクタ２００は、パイルが組み立てられた時に、空洞８５がパイルの外側境界３５の内部に位置するように構成される。  
【００５３】
システムの更に別の実施形態では、１つの側面部分コネクタ２００は、側面部分コネクタ２００に沿って走る溝５０を有する。側面部分コネクタは、パイルが組み立てられた時に、溝５０がパイルの外側境界３５の内側に位置するように構成される。パイルは、図６と７に示すように、組立者のニーズに応じて側面部分コネクタの様々な組み合わせで形成可能である。  
【００５４】
好ましい実施態様では、本明細書に記載したパイル側面部分とパイル側面部分コネクタは、好ましくは、引抜成形プロセスによって形成される。パイルは、パイルの側面が平行になるように形成される。パイルは、ドックの建設に使用される場合、このタイプの構造は、氷による持ち上げの影響を防止可能である。    ここに記載されるパイルは、マリーナ建設、ウォーターフロントの開発、沿岸又は沖合の居住用建物、橋、電柱、および他の多くの建築用途に使用可能である。  
【００５５】
本発明の様々な実施形態が上記されているが、それらは例示の目的だけに提示され、限定目的ではないことを理解すべきである。同様に、様々な図は、本発明の例示的構成又は他の構成を示すが、それらは本発明に含めることが可能な特徴と機能の理解を助けるためである。本発明は、例示的な構造や構成に限定されず、所望の機能は他の構造や構成を使って実行可能である。確かに、当業者にとっては、本発明の所望の機能を実現するための他の機能的、論理的または物理的な区画割りと構成は自明である。また、種々の区画に対して本明細書に記載された以外の構成要素の多くのモジュール名が適用可能である。さらに、フロー図、操作説明と方法クレームに関しては、ここに表示されるステップの順序は、文脈が指示しない限り、同じ順序で列挙された機能が実行されて様々な実施形態が実施されることを強要しない。  
【００５６】
本発明は様々な例示的な実施形態および実装形態で記述されたが、そのような実施形態が記載されたか否かに拘わらず、またそのような特徴が記載された実施形態の一部として示されたか否かに拘わらず、個々の実施形態の一つ以上に記載された様々な特徴、態様および機能は、記載されたある特定の実施例への適用に限定されず、むしろ単独で又はそれらの組合せで本発明の１つ以上の実施形態に適用可能であることが理解されるべきである。従って、本発明の幅広さと範囲は、上述の例示的な実施形態のいずれによっても限定されるべきではない。      
【００５７】
この文書で使用されている用語やフレーズ、及びそれらの変化形は、明示的に記載されない限り、限定的とは反対の開放型と解釈されるべきである。上記の例として：「含む」という用語は、「限定無く、含む」を意味するものとして解釈されるべきである。用語「例」は、議論の対象項目の例示的な事例を提供するために使用され、網羅的または限定的リストを意味しない。用語「１つ」は「少なくとも一つ」、「一つ以上」を意味する。「従来の」、「普通の」、「伝統的な」、「標準的な」、「既知の」及び同様の意味の用語は、特定の期間、または指定された時間において入手可能な項目に限定するものとして解釈されるべきではなく、その代わり、現在または将来的のいずれかの時点において、伝統的な、通常の、または標準的な技術を包含すると読み取る必要がある。同様に、本文で当業者に明白であり又は既知である技術と記載した場合は、そのような技術が当業者にとって、現在または将来の任意の時点を包含して明白であり又は既知であることを意味する。  
【００５８】
接続詞「と」で結合されている項目のグループは、それらの項目のそれぞれ一つ一つがグループ内に存在することを必要としていると理解されるべきではなく、むしろ他に明記されていない限り「および／  または」として理解されるべきである。同様に、接続詞「または」で結合されている項目のグループは、そのグループ内で相互排他性を必要とするものと理解する必要はなく、むしろ他に明記されていない限り、「および／  または」と理解されるべきである。    さらに、本発明のアイテム、要素や部品が単数形で説明または請求されていても、単数形の限定が明示的に示されていない限り、複数形もその範囲内であることが企図されている。  
【００５９】
いくつかの場合での「一つ以上の」、「少なくとも」、「限定されないが、」や類似のフレーズなどの拡張的単語やフレーズは、これら単語やフレーズ使用されない場合の狭いケースが意図または要求されると理解してはならない。用語「モジュール」の使用では、モジュールの一部として記述又は要求されている要素又は機能性が、すべて共通のパッケージ内に構成されていることを意味するものではない。確かに、モジュールのさまざまな要素のいずれかまたはすべては、制御ロジックや他の要素であっても、単一のパッケージにまとめるか、または別々にパッケージされて複数の場所に分散させることが可能である。  
【００６０】
明確化のため別々の実施形態の文脈で説明されている本発明の特定の機能は、組み合わせて単一の実施形態で提供可能であることが理解される。逆に、簡潔さのために、単一の実施形態の文脈で説明されたある発明の種々の特徴は、また別個にまたは任意の適切な準組合せで提供可能であり、または本発明の他の実施形態で適合可能である。様々な実施形態の文脈で記載される特定の機能は、その実施形態がその特徴無しでは機能しない場合を除き、その実施形態で不可欠な特徴とは見做されない。  
【００６１】
さらに、本明細書に記載された様々な実施形態は例示的なブロック図、フローチャートや他の図面で記述されている。この文書を読んだ後、当業者に明らかになるように、図示の実施形態及びそれらの種々の代替案は、図示例に制限されることなく実施可能である。例えば、ブロック図とそれに付随する説明は、特定の構造や構成を義務づけるものと解釈されるべきではない。
【誤訳訂正２】
【訂正対象書類名】特許請求の範囲
【訂正対象項目名】全文
【訂正方法】変更
【訂正の内容】
【特許請求の範囲】
【請求項１】
パイルの１区画として構成される、第1および第2のエッジを有する第１の側面部分と、
それぞれ前記第１の側面部分の前記第２及び前記第１のエッジと滑動可能に係合するように構成された第1および第2のエッジを有する第２の側面部分と、
を有し、
ここにおいて前記第１のエッジは前記第２のエッジと係合し、
係合された場合、前記２つの側面部分は実質的に中空のパイルを形成し、
係合された場合、前記側面部分は前記２つの側面部分の間に前記パイルの最外側境界より内側に位置する接合部を形成する、
ことを特徴とするパイル。
【請求項２】
前記パイルは、
前記第１のエッジの長さに沿って配置される雌スロットと、
前記雌スロットに滑動可能に受容され、前記２つの側面部分の間に前記接合部を形成する、前記第２のエッジの長さに沿って配置される雄部材と、
を有し、
ここにおいて、前記パイルは、前記第１の側面部分と前記第２の側面部分を末端でアライメントして、前記第１の側面部分の前記第１のエッジを前記第２の側面部分の前記第２のエッジと適合させ、そして前記２つの側面部分を互いの長さに沿って滑動させることにより形成される、
ことを特徴とする請求項１に記載のパイル。
【請求項３】
前記側面部分は、前記パイルの両側に前記接合部に隣接する溝を形成する、ことを特徴とする請求項２に記載のパイル。 
【請求項４】
前記パイルの側面に搭載される薄膜太陽電池と、
前記中空パイルの内部に搭載された、前記電池により発電された電荷を貯蔵するためのバッテリーと、
前記バッテリーに接続し、前記溝内に位置する少なくとも１つの電気的負荷装置と、
を備える太陽光発電の電気システムを有する、
ことを特徴とする請求項３に記載のパイル。
【請求項５】
外周面を備え、前記溝を充足するように寸法を決められかつ形成されたギャップ充填部材をさらに有し、
前記ギャップ充填部材は、前記ギャップ充填部材が前記溝に挿入された場合に前記外周面が前記パイルの前記外側境界と実質的にアライメントするように構成される、
ことを特徴とする請求項３に記載のパイル。
【請求項６】
前記側面部分は係合された場合、前記パイルの両側面に前記接合部に隣接する１つの空洞を形成し、
前記空洞は、前記第２の側面部分に形成される谷部の上方に吊るされる、前記第１の側面部分の一部分から形成される、
ことを特徴とする請求項１に記載のパイル。 
【請求項７】
前記第２の側面部分の一部分が前記第２の側面部分の前記谷部の上方に吊るされ、
前記側面部分は係合された場合、前記第１の側面部分と前記第２の側面部分との間に前記空洞に繋がる喉部を形成する、
ことを特徴とする請求項６に記載のパイル。    
【請求項８】
前記空洞は前記パイルの実質的に全長に亘って伸長し、
前記パイルはさらに、前記空洞内に配置され、キャリッジと前記空洞の壁のそれぞれの寸法により前記空洞内に留まるように拘束されるキャリッジを備え、
前記キャリッジは、前記空洞内を前記パイルの長さ方向に沿って滑動するように構成される、
ことを特徴とする請求項６に記載のパイル。
【請求項９】
前記キャリッジは、前記キャリッジ上に位置し、そして前記空洞の長さ方向に沿って回転するように寸法決めされる車輪を備えるローラーキャリッジであり、
前記キャリッジは、前記キャリッジに連結し、そして前記パイルの前記外部境界の外側に配置されるクリートを備える、
ことを特徴とする請求項８に記載のパイル。
【請求項１０】
前記空洞は実質的に前記パイルの全長に亘って伸長し、そして前記喉部は前記空洞に繋がる前記２つの側面部分により形成され、
前記パイルは更に、前記空洞内に配置され、キャリッジと前記空洞の壁のそれぞれの寸法により前記空洞内に留まるように拘束されるローラーキャリッジを備え、前記キャリッジは、前記空洞内を前記パイルの長さ方向に沿って滑動するように構成され、
ここにおいて、１つの車輪が前記キャリッジ上に配置され、かつ前記空洞の長さ方向の床に沿って回転するように寸法決めされ、
そして１つの車輪が前記喉部の壁に対して回転するように構成され、
前記キャリッジが、前記キャリッジに連結しそして前記パイルの前記外部境界の外側に配置されるクリートを備える、
ことを特徴とする請求項６に記載のパイル。
【請求項１１】
一般的に円錐形状で、前記第１の側面部分と前記第２の側面部分の末端と係合し、前記パイル先端部分の先端が前記側面部分から離れる方向を向くように構成される、パイル先端部分をさらに有する、
ことを特徴とする請求項１０に記載のパイル。
【請求項１２】
前記パイルは、前記パイル先端部分と前記側面部分を固定するための、スロット内に受容される雄部材からなる、前記パイル先端部分と前記側面部分との間の機構を有する、
ことを特徴とする請求項１１に記載のパイル。
【請求項１３】
長さを持ち、そして前記側面部分の全長に亘って実質的に一定の断面を有する曲面として一般的に構成される、パイルの１区画として構成される少なくとも２つの側面部分と、
前記側面部分と滑動可能に連結し、中空パイルを形成するように構成される１つの側面部分コネクタと、
を有することを特徴とするパイルを構築するシステム。
【請求項１４】
２つの側面部分コネクタと２つの側面部分とを有し、
前記２つの側面部分は形状が同一であり、少なくとも１つの側面部分コネクタがチャネルを有し、そしてそれぞれの側面部分が前記側面部分の両側において１つの側面部分コネクタに滑動可能に連結し、前記２つの側面部分と前記２つの側面部分コネクタを組み立てることにより、前記パイルの外部境界の内側に４つの接合部が形成される、
ことを特徴とする請求項１３に記載のシステム。
【請求項１５】
前記側面部分コネクタ上に配置された前記チャネルは、空洞に繋がる喉部を有し、その両方は前記側面部分コネクタに沿って伸長し、
前記側面部分コネクタは、前記パイルが組み立てられた場合前記空洞が前記パイルの前記外部境界の内側に配置される、ように構成される、
ことを特徴とする請求項１４に記載のシステム。
【請求項１６】
１つの側面部分コネクタが側面部分コネクタに沿って伸長する溝を備え、そして、前記側面部分コネクタは、前記パイルが組み立てられた場合、前記溝が前記パイルの前記外部境界の内側に配置される、ように構成される、
ことを特徴とする請求項１５に記載のシステム。
【請求項１７】
前記側面部分と前記側面部分コネクタが引抜成形により形成される、ことを特徴とする請求項１３に記載のシステム。
【国際調査報告】
2012523512.tif 000014
2012523512.tif 000015